(57)【要約】【課題】紙おむつ装着の際に、ゆるい便や大量の便がでた場合、便が背中や紙おむつの左右に漏れてしまうという課題がある。【解決手段】おむつ使用時、ゆるい便や尿の背中漏れで、衣類や布団、床などが汚れるのを防ぐため、紙おむつとあわせて使用できる、おむつと同じ吸水性のある吸水シートを使用した、T字型の背中うんち漏れ防止シートを提供する。  【選択図】図１
2018201896.tif 000002
【特許請求の範囲】
【請求項１】
紙おむつと同じ吸水性のある吸水シートを使用した、T字型のうんち漏れ防
止シートであって、
長方形の本体部１と
前記本体部１の上部の左右に伸びるバンド部２と
前記本体部１の底の短手方向に沿って接着領域３と
前記バンド部２の右端に接着領域４とを
備えることを特徴とする背中うんち漏れ防止シート。
【請求項２】
前記本体部１の大きさは、短手方向の長さ6cmから39cm、
長手方向の長さ7cmから40cmの長方形のシートであり、
前記バンド部２の大きさは、幅1cmから3cm、
長さ12cmから50cmであることを
特徴とする請求項１の背中うんち漏れ防止シート。     
【発明の詳細な説明】
【技術分野】
【０００１】
本発明は、赤ちゃん又はおむつ着用者がおむつ使用時にゆるい便や大量の便をしたとき、便がおむつ内に収まらず背中から漏れ、衣類や布団、床等を汚すことを防止することに関する。          
【背景技術】
【０００２】
赤ちゃんは、腸内環境が整っていないため、生後1年間くらいは便秘や下痢を繰り返すことが多い。母乳育児の赤ちゃんや、特に便がゆるい傾向があったり、離乳食を始めた赤ちゃんも、特に便秘と下痢を繰り返しやすい。
また、おむつを着用する高齢者も同様に、便秘や下痢を繰り返す傾向がある。
ゆるい便が出た場合や、便秘が続いて一度に大量の便が出た場合、背中とおむつの隙間から便が漏れてしまっていた。
【先行技術文献】
【特許文献】
【０００３】
【特許文献１】特開2017‐018549
【発明の概要】
【発明が解決しようとする課題】
【０００４】
特許文献１では、紙おむつの背中部分に防止パッドを装着して、便が背中に漏
れるのを少量の場合は防止できるが、便の量が多い時は、紙おむつの左右に漏
れてしまうという課題がある。
本発明は、おむつの背中や、左右からの漏れを防止することを目的とするもの
である。
【課題を解決するための手段】
【０００５】
本発明の請求項１は、上記目的を達成するため、図１のように、紙おむつと同じ吸水性のある吸水シートを使用した、T字型のうんち漏れ防止シートであって、長方形の本体部１と前記本体部１の上部の左右に伸びるバンド部２と前記本体部１の底の短手方向に沿って接着領域３と前記バンド部２の右端に接着領域４とを備えることを特徴とする背中うんち漏れ防止シートを提供する。
【０００６】
本発明の請求項２は、上記目的を達成するため、前記本体部１の大きさは、短手方向の長さ6cmから39cm、長手方向の長さ7cmから40cmの長方形のシートであり、前記バンド部２の大きさは、幅1cmから3cm、長さ12cmか
ら50cmであることを特徴とする請求項１の背中うんち漏れ防止シートを提供する。
【発明の効果】
【０００７】
上述したように、本発明はゆるい便がでた場合や、大量の便が出た場合であっても、本体部１でしっかり漏れをカバーし、衣類などへの汚れを防止することができる。また、バンド部２でシートの位置を固定することで、おむつ着用者が動いた場合でも、ずれずに漏れをカバーすることができる。
さらに、サイドギャザー６をつけることで、本発明の背中うんち漏れ防止シートのサイドからの漏れをカバーすることができる。
【図面の簡単な説明】
【０００８】
【図１】本発明の背中うんち漏れ防止シートを示す全体図
【図２】本発明を装着後、後方から見た外観図
【図３】本発明を装着後、前方から見た外観図
【図４】本発明を紙おむつに装着した際の前方から見た外観図
【図５】本発明を使用後、本発明の背中うんち漏れ防止シートと、紙おむつ両方を丸める際の前方から見た外観図
【図６】本発明を使用後、本発明の背中うんち漏れ防止シートと、紙おむつ両方を丸めてテープで固定し捨てる際の前から見た外観図
【図７】本発明の背中うんち漏れ防止シートの全体を横から見た際の外観図
【図８】本発明の実施例に使用した紙おむつを前面から見た外観図
【発明を実施するための形態】
【０００９】
図１の本体部１のシートの素材は、紙おむつと同じ吸水性のある不織布、高分子吸水材などの素材で、伸縮性のあるものが好ましいが、コットンガーゼ、綿布など吸水性のあるものでも可能。
バンド部は、おむつの直接肌に触れる表面部分に使用されているポリオレフィンのような柔らかく強い素材が好ましいが、コットンガーゼや、綿布などの吸水性のあるものでも可能。
接着領域は、紙おむつの止着材として使用されている、ポリオレフィンの面ファスナーや、両面テープが好ましいが、マジックテープ(商標)、ボタン、スナップボタンなどでも可能。
【００１０】
本発明の、接着領域３，４について、本体部１を紙おむつと体に対してしっかり固定するために、以下の配置と大きさが望ましい。
接着領域３の位置は、底面端部から３ｃｍ以内に、幅１ｃｍから２ｃｍ、長さ７ｃｍから４０ｃｍ
接着領域４の位置は、バンド部２の右先端部から３ｃｍ以内に、幅１ｃｍから２ｃｍ、長さ１ｃｍから３ｃｍとする。
【００１１】
請求項２の本体部１の大きさは、新生児の平均的な胸囲が３２ｃｍであることと、新生児用の紙おむつの本体の幅より、短手方向の長さは最小で６ｃｍ以上が好ましく、成人用の紙おむつのLLサイズのウエスト１１０ｃｍであることから、紙おむつの本体の幅より最大で３９ｃｍが好ましい。
また、請求項２のバンド部２の大きさも、上述の理由から、長さは最小で１２ｃｍ以上、最大で５０ｃｍが好ましい。
【００１２】
着用方法は、図４のように、本発明の底の部分へテープ式の紙おむつを重ねて、接着領域３を貼って広げた状態で準備をする。
紙おむつ装着後、図３のように前の胸部分で、左右のバンド部を合わせ接着領域４を接着させて固定する。
後ろから見ると、図２のように、紙おむつの上に繋がった状態で本発明が装着される。
【００１３】
本発明は、使い捨てであるが、汚れなかった場合は、接着領域３，４が、まだ接着可能であれば、再度使うことができる。
また、汚れて捨てる場合は、紙おむつと繋がっているので図５のように一気に丸めて、図６のように接着領域４で固定し、一つにまとめて捨てることができる。
【００１４】
図１のように、本発明に、本体部１の両サイドにサイドギャザー６を取り付けることによって、背中うんち漏れ防止シートのサイドからの漏れ防止を更に強化することができる。
【００１５】
更に、本体部１を伸縮性のある素材にすることで、赤ちゃんが腰を丸めたり、寝返りをする際に、本体部が伸びることで紙おむつからずれずに赤ちゃんの背中にフィットして、うんちの漏れを防止することができる。
【実施例】
【００１６】
紙おむつ(ユニチャーム製のマミーポコのテープ式Мサイズ)を図８のように、中心で切り、お腹部分７と背中部分８の二つに分け、背中部分８の方を本発明の本体部１として利用する。
背中部分８の底の短手方向の、紙おむつの肌に触れる部分に両面テープ（接着領域３）をはる。次に、お腹部分７の、腰回りの柔らかい部分を幅1cmでカットしたものを２本作り、背中部分８の上部左右にあるテープ部分に、バンド部２として、両面テープでとりつける。バンド部２の右先端に両面テープ（接着領域４）をはって、図１のようなT字型の背中うんち漏れ防止シートが完成する。
【００１７】
完成した背中うんち漏れ防止シートを紙おむつに装着する際、伸縮性を持たせるために、背中部分８の接着領域３のすぐ上の部分を蛇腹に折っておく。生後６か月の息子が、背中うんち漏れ防止シートを装着したところ、寝返りをしてもずれることなく、背中に漏れたうんちが衣類につくのを防止することができた。背中がむれたり、バンド部２を嫌がることもなく快適に過ごせた。
赤ちゃんが歩行する場合はシートがずれやすくなるため、歩行するまでの赤ちゃんに特に有効である。
【符号の説明】
【００１８】
１本体部
２バンド部
３接着領域
４接着領域
５本体部後面
６サイドギャザー
７お腹部分
８背中部分
【図１】
2018201896.tif 000003
【図２】
2018201896.tif 000004
【図３】
2018201896.tif 000005
【図４】
2018201896.tif 000006
【図５】
2018201896.tif 000007
【図６】
2018201896.tif 000008
【図７】
2018201896.tif 000009
【図８】
2018201896.tif 000010
【手続補正書】
【提出日】平成30年8月21日(2018.8.21)
【手続補正１】
【補正対象書類名】特許請求の範囲
【補正対象項目名】請求項１
【補正方法】変更
【補正の内容】
【請求項１】
吸水性のある吸水シートを使用した、T字型のうんち漏れ防止
シートであって、
長方形の本体部１と
前記本体部１の上部の左右に伸びるバンド部２と
前記本体部１の底の短手方向に沿って接着領域３と
前記バンド部２の肌側対向面から見て右側に接着領域４とを
備えることを特徴とする背中うんち漏れ防止シート。
【手続補正２】
【補正対象書類名】明細書
【補正対象項目名】０００５
【補正方法】変更
【補正の内容】
【０００５】
本発明の請求項１は、上記目的を達成するため、図１のように、吸水性のある吸水シートを使用した、T字型のうんち漏れ防止シートであって、長方形の本体部１
と前記本体部１の上部の左右に伸びるバンド部２と前記本体部１の底の短手方向に沿って
接着領域３と前記バンド部２の肌側対向面から見て右端に接着領域４とを備えることを特徴とする背中うんち漏れ防止シートを提供する。